(57)【要約】【課題】  樹脂ロータを用いた水潤滑スクリュー圧縮機の起動時に、ロータ間へ外部から加圧給水を行うと、水の消費や水道水に含まれるカルシウム、マグネシウム等のイオンの析出によるロータの損傷やフィルタの目詰まりの課題があった。【解決手段】  上記課題を解決するために、圧縮機のロータ及びメカニカルシールに給水をする給水配管、またはドライヤの凝縮水を圧縮機の吸入ポートへ回収する凝縮水回収配管の圧縮機の給水部より高い位置に貯水器を設け、貯水器下部と圧縮機の吸入ポート及びメカニカルシールの給水部とを接続する起動時給水配管と電磁開閉弁を設けた。【選択図】図１
2014206082.tif 000002
【特許請求の範囲】
【請求項１】
雄雌一対の樹脂スクリューロータが両端を軸受で支持され、スクリューロータの吐出側端面と吐出側軸受室との間をメカニカルシールでシールされて、吸入ポートと吐出ポートを有するケーシング内に収納され、水セパレータ内の水タンクに貯留する水を圧縮機の圧縮室とメカニカルシールの摺動部に供給する給水配管を有し、前記吐出ポートと前記水セパレータとを接続する吐出流路を有する水潤滑圧縮機において、前記給水配管の間で圧縮機の給水位置よりも高い位置に、貯水器を設けると共に、貯水器の上部上面に貯水器への入口配管及び出口配管を設け、貯水器の下部に圧縮機の吸入ポート及びメカニカルシールの給水部へ接続する起動時給水配管と、起動時給水配管の間に電磁開閉弁を設けた水潤滑スクリュー圧縮機。
【請求項２】
雄雌一対の樹脂スクリューロータが両端を軸受で支持され、スクリューロータの吐出側端面と吐出側軸受室との間をメカニカルシールでシールされて、吸入ポートと吐出ポートを有するケーシング内に収納され、水セパレータ内の水タンクに貯留する水を圧縮機の圧縮室とメカニカルシールの摺動部に供給する給水配管を有し、前記吐出ポートと前記水セパレータとを接続する吐出流路を有し、水セパレータの水と空気とが分離された上部空間に接続され、ドライヤを通過した後、圧縮空気の吐出ラインへ接続する吐出配管を有する水潤滑圧縮機において、前記ドライヤと前記圧縮機の吸入ポートを接続する凝縮水回収配管を設け、前記凝縮水回収配管の間の圧縮機の給水位置よりも高い位置に貯水器を設けると共に、貯水器上部の上面に貯水器への入口配管及び出口配管を設け、貯水器の下部に圧縮機の吸入ポート及びメカニカルシールの給水部へ接続する起動時給水配管と、起動時給水配管の間に電磁開閉弁を設けた水潤滑スクリュー圧縮機。
【請求項３】
上記請求項１または２のいずれかにおいて、前記貯水器の上部側面に貯水器への入口配管及び出口配管を設けた水潤滑スクリュー圧縮機。
【請求項４】
上記請求項１または２に記載の水潤滑スクリュー圧縮機において、起動時給水配管は最大流量が得られる配管径とし、起動時給水配管の電磁開閉弁は制御装置で設定した時間でオン・オフすなわち開閉動作を行い、起動時の給水量を制御可能とする水潤滑スクリュー圧縮機。
【発明の詳細な説明】
【技術分野】
【０００１】
本発明は、起動時に樹脂ロータへの給水を可能とする水潤滑スクリュー圧縮機に関するものである。
【背景技術】
【０００２】
水潤滑スクリュー圧縮機はケーシングと、雄・雌一対のスクリューロータで形成される圧縮室に水を噴射することで、オイルフリー圧縮機としてクリーンな空気が得られると共に、従来用いられているドライスクリュー圧縮機に比べて冷却効果とシール効果が優れているで、吐出空気温度が低く低回転数で高性能である。  
そのため、今後、市場での普及が見込まれるが、水を噴射することでケーシング及びロータの防錆が必要である。ケーシングには耐食性の高いブロンズが用いられることが多い。ロータも同様に、耐食性の高いブロンズロータを用いることもあるが、ブロンズロータはロータ同士の潤滑が困難なことからタイミングギヤを設けてロータ同士を非接触駆動としている。ロータに水での潤滑性の良い樹脂を用いるとロータ同士直接駆動することが可能で、タイミングギヤが不要となる。  
樹脂ロータで直接駆動するとロータ間隙間も小さくでき、性能向上が可能である。また、タイミングギヤを用いないとタイミングギヤの油潤滑機構も不要となるため、軸受室周りの構造も簡単になる。
【０００３】
そこで、樹脂ロータを用いる場合、運転中は水タンクを兼ねた水セパレータ内の空気圧により、水タンク内の水が水セパレータよりも低圧な圧縮機の圧縮室へ、その差圧により供給される。しかし、起動時には水セパレータ内の圧力が無いため、運転開始後に水セパレータ内の圧力が圧縮機の水供給部の圧縮室よりも高くなるまで、水が供給されず、樹脂ロータは最悪の場合、乾燥した状態のまま無潤滑で回転する。通常、水潤滑圧縮機の吐出圧力が定格の０．７ＭＰaまで上昇するのに５〜１０秒かかる。
【０００４】
また、ロータの軸受に転がり軸受を用い、跳ねかけによる油潤滑を行った場合、軸受室から圧縮室側への油漏れを防止するために、各ロータの軸受室の圧縮室側には軸封のためにリップシールを用いている。さらに、ロータ軸の圧縮室の吸入側端部には圧縮室に噴射された水が軸受室側へ漏洩するのを防止するためにリップシールを用いている。吐出側端部については圧縮室と軸受室との間の差圧が大きいので、メカニカルシールを用いている。そのため、メカニカルシールの固定部材と回転部材の摺動部にも潤滑および冷却のために運転中は水セパレータと、メカニカルシールの給水部との差圧によって給水をしている。
【０００５】
しかし、起動時にはロータ間と同様に水セパレータ内の圧力が無いため、吐出空気により水セパレータ内の圧力が上昇するまでは給水はされない。そのため、起動時には樹脂ロータの給水部及び、メカニカルシールの摺動部へ水セパレータ内の水タンクからの給水以外の水噴射方法を設ける必要があった。
【０００６】
起動時に水潤滑スクリュー圧縮機の給水部へ水を供給する方法として、例えば特許文献１による外部の加圧給水配管を用いて、その配管中に設けた電磁開閉弁を開閉させて樹脂ロータ間とメカニカルシール部へ給水する方法がある。
【先行技術文献】
【特許文献】
【０００７】
【特許文献１】特開２０００−４５９４７号公報
【発明の概要】
【発明が解決しようとする課題】
【０００８】
特許文献１に有る外部の加圧給水配管を用いてロータ間とメカニカルシール部へ給水する方法を図６に示す。外部の加圧給水配管３２は第１電磁開閉弁２９を介して、その先で２方向に分岐しており、一方は吸入ポートの開口部からロータ間へ水を供給するための吸入ポート給水配管１２に接続し、他方はメカニカルシールの摺動部へ給水するための配管である第２メカニカルシール給水配管１１ｂへ接続されている。圧縮機の起動ボタンを押すと、一定時間（例えば３秒間）外部加圧給水配管３２に設けた第１電磁開閉弁２９を開にして給水し、起動後に第１電磁開閉弁２９を閉にして給水を停止する。この場合、起動ごとに外部加圧給水配管３２から水を給水するために、起動時の外部（例えば水道水）からの給水により水潤滑圧縮機の使用期間全体では多量の水を消費する課題があった。
【０００９】
また、外部加圧給水配管３２として水道水を用いた場合、給水部に付着した水道水が乾燥すると溶融しているカルシウム、マグネシウム等のイオンが析出して固形物を生成し、これらの固形物がロータ間やメカニカルシールの摺動部に噛み込まれると摺動部の損傷、摩耗の原因となる課題があった。さらに、これらの析出した固形物が循環水と共に給水配管１６を流れると給水配管中に設けた水フィルタ２０に付着し、目詰まりを起こすため、水フィルタの交換頻度が増す課題があった。
【００１０】
さらに、起動時の給水量が多すぎるとロータ内に充填された水で液圧縮を生じ、起動不可能となる課題があった。
【００１１】
本発明は、上記課題を解決するために考案されたもので、本発明の目的は、外部からの給水量を節約することと、水道水に含まれるカルシウムやマグネシウム等のイオンの析出で生じる固形物の噛み込みによるロータやメカニカルシールの損傷、摩耗を防止することと、給水過多による液圧縮で生じる起動不可を防止することにある。
【課題を解決するための手段】
【００１２】
上記課題を解決するために、本発明は給水配管において、圧縮機の給水位置よりも高い位置に貯水器を設け、貯水器の上部に給水配管の貯水器入口管及び貯水器出口管を配置すると共に、貯水器の下部に、圧縮機の吸入ポート及びメカニカルシールの給水部へ接続する電磁開閉弁を有する起動時給水配管を設けた。
【００１３】
また、吐出配管に設けたドライヤの凝縮水回収配管において、圧縮機の給水位置よりも高い位置に貯水器を設け、貯水器の上部に凝縮水回収配管の貯水器入口管及び貯水器出口管を配置すると共に、貯水器の下部に、圧縮機の吸入ポート及びメカニカルシールの給水部へ接続する電磁開閉弁を有する起動時給水配管を設けた。さらに、貯水器の上部側面に貯水器への入口配管及び出口配管を設けた。また、上記起動時給水配管に設けた電磁開閉弁を設定時間に基づき開・閉動作を行う制御装置を設けた。
【発明の効果】
【００１４】
本発明による樹脂ロータ間及びメカニカルシールの摺動部への起動時給水方法によれば、内部で循環する水を貯水しておき、起動時に給水するので起動の度に外部から給水を行うことがなく、水道水の消費量を低減できる。
【００１５】
また、水セパレータ内の循環水及びドライヤの凝縮水を供給するので、外部から供給される水道水に含まれるカルシウムやマグネシウム等のイオンの析出物によるロータの噛みあい部やメカニカルシールの摺動部への噛み込みによる損傷や摩耗及び短期間での水フィルタの目詰まりを防止できる。さらに起動時の給水量を制御できるため、起動時の給水過多で生じるトルク増加による起動不可や、粘性の増加で生じる給水不足を退避できる利点がある。
【図面の簡単な説明】
【００１６】
【図１】本発明の実施例１を示すユニット配管系統図である。
【図２】本発明の実施例２を示すユニット配管系統図である。
【図３】本発明の実施例３を示す貯水器の配管図である。
【図４】本発明の実施例４を示す給水量の調節方法を示すフローパターン図である。
【図５】水潤滑スクリュー圧縮機の構造を示す水平方向断面図である。
【図６】従来の給水系統を示すユニット配管系統図である。
【発明を実施するための形態】
【００１７】
本発明の実施例１を説明する。図５に水潤滑スクリュー圧縮機の構造を示す。水潤滑スクリュー圧縮機１は一対の雄ロータ５aと雌ロータ５bが吸入側軸端部は円筒コロ軸受７で支持され、吐出側軸端部は組み合わせアンギュラ軸受６で支持されており、互いに噛み合った状態でケーシング３６に収納されている。軸受は吸入側と吐出側に各々設けた油溜まりに充填した油を、軸に設けた跳ねかけ部材４４の回転によって軸受隙間に跳ねかけることで潤滑をしている。ケーシング３６には吸入ポート２と吐出ポート４５が設けられており、吸入ポートから吸入した空気は雄ロータと雌ロータとで形成する圧縮室へ充填され、ロータの回転と共に圧縮室の容積が減少することで圧縮される。その後、ロータの回転により圧縮室が吐出側端面方向へ移動し、吐出室に開口することで圧縮室内の空気は吐出ポート４５へ吐出される。
【００１８】
この圧縮工程において、圧縮室がケーシング３６に設けられた給水位置へ達したとき、ロータインジェクション配管１０から供給された水が給水位置に設けられた水噴射穴から圧縮室へ噴射される。その後は空気と水が一緒に圧縮されて吐出ポート４５から一緒に吐出される。ロータの吸入側軸に設けた軸受７のロータ側にはリップシール９を設けており、軸受室の油がロータ側へ混入するのを防いでいる。また、ロータの吸入端面側にはロータに噴射された水が軸受室へ漏洩して潤滑油に混入するのを防ぐためにリップシール９が設けられている。ロータの吸入側端部は吸入ポートを形成しており、圧力が高くならないのでリップシールによる軸封が可能である。
【００１９】
ロータの吐出側軸に設けた軸受６のロータ側には同様にリップシール９を設けて、軸受室の油がロータ側へ混入するのを防いでいる。また、ロータの吐出端面側にはロータに噴射された水が圧縮空気と一緒に軸受室へ漏洩するのを防ぐために、メカニカルシール８が設けられている。ロータの吐出端面側は吐出圧に近い圧力がかかっているため、リップシールではガス圧力によりリップに損傷を生じる可能性がある。メカニカルシール８はハウジングに固定される固定部材と軸に取り付けられ軸と共に回転する回転部材がシール面で摺動することで、シールをしている。そのため、運転中は第１メカニカルシール給水配管１１aからの給水により、メカニカルシールのシール面は潤滑されている。吸入ポート２へ開口した吸入ポート給水配管１２は起動時にロータ間へ給水するための配管である。第２メカニカルシール給水配管１１ｂは同様に、起動時にメカニカルシールの摺動部へ給水するための配管である。
【００２０】
次に、図６を用いて従来技術による起動時のロータ間及びメカニカルシール部への給水方法を説明する。水潤滑スクリュー圧縮機１は雄ロータの軸端に直結したモータ１３で駆動され、吸入フィルタ３と吸入アンローダ４を備えた吸入ポート２から大気中の空気を吸入し、ロータ溝で形成される圧縮室で圧縮され、途中、ロータインジェクション配管１０から噴射された水と共に吐出ポートから吐出される。吐出された空気と水は吐出流路４３で旋回されながら水潤滑スクリュー圧縮機下部に設けた水セパレータ１４内へ流入し、水と空気が分離される。水は水セパレータ１４内の下部の水タンク１５に貯留され、運転中は水セパレータ内の圧力により、水タンク１５の水が給水配管１６を通って、圧縮機ユニット３５の上部に配置した水クーラ２１で冷却ファン２２により許容温度以下に冷却された後、水フィルタ２０を通過して混入物をろ過した後、ロータインジェクション配管１０から圧縮機の圧縮室へ給水される。ロータインジェクション配管１０は途中で分岐して、第１メカニカルシール給水配管１１aに接続されており、第１メカニカルシール給水配管１１aからメカニカルシールの摺動部へ給水を行う。
【００２１】
圧縮された空気は水セパレータ上部の吐出配管２４から吐出され、調圧逆止弁２５で設定圧を超えた圧力になると吐出される。その先はドライヤ２７に接続されており、圧縮空気は冷却されて露点温度の飽和蒸気圧まで水分は凝縮され、乾燥した圧縮空気が圧縮空気供給ラインから吐出される。ドライヤで凝縮した凝縮水はドライヤのタンクに貯えられ、定期的にドライヤのタンクに設けた排水管から、排水管に設けた電磁開閉弁３９の開閉動作により排水される。
【００２２】
ここで、従来の起動時のロータ間とメカニカルシールの摺動部への給水方法を説明する。通常は水道水配管を用いることが考えられる。水タンク１５の補給用に設けた外部加圧給水配管３２は第１電磁開閉弁２９を介して水潤滑スクリュー圧縮機１の吸入ポート２へ接続した吸入ポート給水配管１２と、メカニカルシールの摺動部へ給水する第２メカニカル給水配管１１bに接続している。
【００２３】
起動時に、第１電磁開閉弁２９を開にして、ロータ間及びメカニカルシールの摺動部へ給水を開始し、一定時間経過後に第１電磁開閉弁２９を閉にした後、水潤滑スクリュー圧縮機を起動する。
【００２４】
したがって、本方法によると、起動ごとに外部からの給水を行うために、水道水を用いた場合、水の消費量が増加する。また、水道水にはカルシウムやマグネシウム等のイオンが含まれ、給水部にはこれらのイオンが析出し、析出物がロータの噛み合い部やメカニカルシールの摺動部に噛み込まれて、損傷や摩耗の原因となることがある。
【００２５】
さらに、給水量が過多の場合、起動時に液圧縮を生じ、起動不可となることがある。
【００２６】
本発明の実施例１について図１を用いて詳細に説明する。水潤滑スクリュー圧縮機1の水セパレータ１４の下部の水タンク１５に貯水された水は運転中、水セパレータ内の圧力により水タンク１５に接続された給水配管１６を通って、圧縮機ユニット３５の上部に設けた水クーラ２１で許容温度以下に冷却された後、水潤滑スクリュー圧縮機１の給水部よりも高い位置に設けた貯水器１８の上部に接続された水クーラ出口配管１７の先の貯水器入口管３１から貯水器１８内に流入し、貯水器１８を満たす。さらに、貯水器１８の上部には貯水器出口配管２３が接続されており、貯水器１８をオーバーフローした水は貯水器出口配管２３を通って水フィルタ２０で混入物をろ過した後、水潤滑スクリュー圧縮機１のロータインジェクション配管１０からロータ間へ給水される。
【００２７】
また、ロータインジェクション配管１０は手前で分岐して第１メカニカル給水配管１１aに接続しており、メカニカルシールの摺動部へ給水を行う。ロータ間に給水された水は圧縮空気と一緒に吐出ポートから吐出され、旋回する吐出流路４３により水セパレータ１４内で空気と分離され、水セパレータ内の下部の水タンク１５に溜まる。水を分離された空気は水セパレータ１４の上部に接続された吐出配管２４から吐出され、調圧逆止弁２５により設定圧以上の圧力になると吐出される。通常、設定圧は０．５ＭＰaとしている。その先でドライヤ２７を通過し、吐出空気中のミスト状の水分は露点温度まで凝縮され、除湿された空気は吐出ラインへ吐出される。ドライヤ２７の凝縮水タンクには凝縮水回収配管１９を設けており、第４電磁開閉弁４０を介して水潤滑スクリュー圧縮機１の吸入ポート２に接続されている。ドライヤ２７の凝縮水は第４電磁開閉弁４０を制御装置３７からの信号で定期的に開閉することで、大気圧より低い圧力の吸入ポートへ吸引される。吸入ポート２へ吸引された凝縮水はロータの圧縮室へ充填され、その後、吐出ポートから水セパレータ１４へ吐出され、圧縮機を循環する。
【００２８】
起動時は貯水器１８の下部に接続した起動時給水配管３０の先の第２電磁開閉弁３３を開にすることで、運転中に充満している貯水器１８の水がその先に接続する吸入ポート給水配管１２と第２メカニカルシール給水配管１１bから、各々ロータ間とメカニカルシールの摺動部へ落差エネルギーにより給水を行う。
【００２９】
通常、起動時に必要な給水量は、試験結果から５リットル/分位である。水セパレータの圧力が上昇して圧力により給水を開始するまでの時間は５〜１０秒なので、起動時に必要な給水時間を得るための貯水器の容積は約１リットル以上あれば良い。また、貯水器１８と水潤滑スクリュー圧縮機１の給水部との落差を１ｍとすると、起動時の給水配管径は内径が約５ｍｍあれば良い。また、圧縮機ユニット３５には水タンク１５の水が不足した際に補給するための外部加圧給水配管３２を設けており、第１電磁開閉弁２９を介して、吸入ポート２に接続されている。
【００３０】
運転中に水セパレータ１４の水タンク１５の水位が基準範囲よりも低下した時は第１電磁開閉弁２９を制御装置３７により開にすることで外部加圧給水配管３２（水道水配管）の水が圧縮機の吸入ポート２から吸入され、最終的には水セパレータ１４の水タンク１５に充填される。
【００３１】
本発明によれば運転中に貯水器１８内に水が充填され、停止時にも水は維持されるため、起動時に貯水器１８内の水を圧縮機のロータ間及びメカニカルシールの摺動部へ供給可能である。
【００３２】
したがって、起動時の度に外部加圧給水配管（水道水配管）３２から給水する必要が無く、水の消費を節約できる。また、水タンク１５内の水を供給するため、水道水を用いた場合のようなカルシウムやマグネシウム等のイオンの増加も無く、給水部でイオンの析出による析出物が生成され、ロータ間やメカニカルシールの摺動部へ噛み込まれることで、損傷や摩耗の発生することが無くなる。
【００３３】
さらに、貯水器１８からの給水は落差エネルギーによるため、給水の配管径を適切に設定しておけば、給水過多によるロータの液圧縮も起こらず、起動不可となることも無い。また、貯水器１８を圧縮機の給水部よりも高い位置へ配置すれば、起動時にロータ間やメカニカルシールの摺動部へ給水が可能なため、図１に示すような水クーラを圧縮機ユニットの上部へ配置しなくても良く、他の機器も含めて、レイアウトの自由度が増す。
【００３４】
また、貯水器１８からの起動時給水配管３０は運転中の給水配管である貯水器出口配管２３とは別に設けているので、起動後、第２電磁開閉弁３３を閉にすることで、運転中に加熱された水が吸入ポートから吸入されることが無く、性能低下を生じない。なお、水潤滑スクリュー圧縮機は運転中に、吸入空気よりも高温の水を吸入ポートから供給すると、吸入時に加熱されて空気密度が低下することから、性能が低下する傾向が見られる。
【００３５】
実施例２を図２を用いて説明する。図２は圧縮機ユニット３５の給水及び吐出配管系は図１に示す実施例と同じであり、同じ部分には同じ番号を記している。図２の特徴は起動時に給水する貯水器１８を吐出配管に設けたドライヤ２７の凝縮水回収配管１９に設けていることに有る。ドライヤの凝縮水タンクに接続した凝縮水回収配管１９はその先で貯水器入口管３１として、圧縮機の給水部よりも高い位置に設けられた貯水器１８の上面で接続されており、貯水器１８の上面に取り付けられた貯水器出口配管２３は第４電磁開閉弁４０を介して、圧縮機の吸入ポート２に接続した吸入ポート給水配管１２に接続している。吸入ポート給水配管１２は吸入ポート２の接合部の前で分岐して、第２メカニカルシール給水配管１１ｂにも接続している。また、貯水器１８の下部には第２電磁開閉弁３３を介して吸入ポート給水配管１２と接続する起動時給水配管３０を設けている。
【００３６】
運転中は起動時給水配管３０の第２電磁開閉弁３３と、貯水器出口配管２３の第４電磁開閉弁４０を閉にしておくと、ドライヤ２７で凝縮した凝縮水が貯水器１８に溜まるので、液面が上面に達するタイミングで貯水器出口配管２３の第４電磁開閉弁４０を開にすることで、凝縮水は圧縮機の吸入ポート２へ回収される。
【００３７】
貯水器１８のオーバーフローした凝縮水を回収したタイミングで貯水器出口配管２３の第４電磁開閉弁４０を閉とすることで、吐出空気の漏洩は防止可能である。圧縮機が停止した時には貯水器１８内に凝縮水が満たされているので、起動時に起動時給水配管３０の第２電磁開閉弁３３を開にすることで、貯水器１８内の凝縮水が吸入ポート給水配管１２を通って圧縮機の吸入ポート２へ給水され、第２メカニカル給水配管１１ｂを通ってメカニカルシールの摺動部へ給水される。  
起動後は起動時給水配管３０の第２電磁開閉弁３３を閉とすることで、通常のドライヤ２７の凝縮水回収動作となる。
【００３８】
本発明によれば、起動時の度に外部加圧給水配管３２から水を供給することがないので水の節約になる。また、凝縮水を利用することでカルシウムやマグネシウム等のイオンの析出を防止でき、ロータ間やメカニカルシールの摺動部の損傷や摩耗の発生を防止できる。また、実施例１と同様に給水過多によるロータ内の液圧縮で起動不可となることも無い。
【００３９】
実施例３を図３を用いて説明する。図３は貯水器１８に水を充満させるための他のオーバーフロー構造を示す。貯水器１８への入口管である水クーラ出口配管１７の先の貯水器入口管３１と貯水器出口配管２３を貯水器１８の側面上部に接合しており、貯水器入口管３１から流入した水は貯水器１８を満たし、水面が貯水器出口配管２３の位置に達する。それ以上流入した水は貯水器出口配管２３から流出する。したがって、停止した時点では常に貯水器１８の上面まで水が満たされ、起動時の給水が可能である。
【００４０】
実施例４を図４を用いて説明する。図４は貯水器１８からの給水量の制御方法を示す。起動条件や、温度により粘度が変化する場合に、電磁開閉弁を起動時間の間、開にしておかず、一定時間で開閉を繰り返すことで給水量を制御可能である。この場合、起動時間tallの間、全て開とするよりも給水量は低下するため、給水配管の径を例えば最大流量が得られる寸法にしておき、給水量を電磁開閉弁の開時間ｔ1と閉時間ｔ2の比率で設定することとする。
【符号の説明】
【００４１】
１      水潤滑圧縮機
２      吸入ポート
３      吸入フィルタ
４      吸入アンローダ
５      スクリューロータ
５a     雄ロータ
５b     雌ロータ
６      吐出側軸受
７      吸入側軸受
８      メカニカルシール
９      リップシール
１０    ロータインジェクション配管
１１a   第１メカニカルシール給水配管
１１b   第２メカニカルシール給水配管
１２    吸入ポート給水配管
１３    モータ
１４    水セパレータ
１５    水タンク
１６    給水配管
１７    水クーラ出口配管
１８    貯水器
１９    凝縮水回収配管
２０    水フィルタ
２１    水クーラ
２２  冷却ファン
２３  貯水器出口配管
２４  吐出配管
２５  調圧逆止弁
２６  水クーラ入口配管
２７  ドライヤ
２９  第１電磁開閉弁
３０  起動時給水配管
３１  貯水器入口管
３２  外部加圧給水配管
３３  第２電磁開閉弁
３４  放気管開閉弁
３５  圧縮機ユニット
３６  ケーシング
３７  制御装置
３８  信号線
３９  第３電磁開閉弁
４０  第４電磁開閉弁
４３  吐出流路
４４  跳ねかけ部材
４５  吐出ポート
【図１】
2014206082.tif 000003
【図２】
2014206082.tif 000004
【図３】
2014206082.tif 000005
【図４】
2014206082.tif 000006
【図５】
2014206082.tif 000007
【図６】
2014206082.tif 000008